(57)【要約】【課題】安価で簡易な構造でカバー部材の開閉を検出することができるカバー開閉検出装置及びそのカバー開閉検出装置を備えたカバー装置並びにそのカバー装置を備えた電子機器を提供すること。【解決手段】被カバー部材１０１の天面１０１ａに機械的スイッチ１１を設け、カバー部材１６０の底面１６０ａにスイッチ押圧用リブ１２を設け、前記スイッチ押圧用リブによる前記機械的スイッチの押圧・押圧解除により、前記カバー部材の開閉を検出する。これにより、カバーの開閉を単独の機械的スイッチにより検出することができるので、安価で簡易な構造とすることができる。【選択図】図６
2008073869.tif 000002
【特許請求の範囲】
【請求項１】
被カバー部材に対して開閉自在なカバー部材の開閉を検出するカバー開閉検出装置であって、
前記被カバー部材の天面に機械的スイッチを設け、前記カバー部材の底面にスイッチ押圧用リブを設け、前記スイッチ押圧用リブによる前記機械的スイッチの押圧・押圧解除により、前記カバー部材の開閉を検出することを特徴とするカバー開閉検出装置。
【請求項２】
前記機械的スイッチは、前記被カバー部材の天面より下方に配置され、当該スイッチ部分が、前記スイッチ押圧用リブが通過可能な穴が設けられたスイッチカバーで覆われていることを特徴とする請求項１に記載のカバー開閉検出装置。
【請求項３】
前記機械的スイッチは、リミットスイッチであることを特徴とする請求項１又は２に記載のカバー開閉検出装置。
【請求項４】
請求項１〜３の何れか一項に記載のカバー開閉検出装置を備えたことを特徴とするカバー装置。
【請求項５】
前記機械的スイッチは、装置電源と接続されており、前記スイッチ押圧用リブによる押圧・押圧解除により前記装置電源がオン・オフされることを特徴とする請求項４に記載のカバー装置。
【請求項６】
前記カバー部材は、閉じられたときに前記被カバー部材の天面に設けられている内部点検用の開口部を覆うことを特徴とする請求項４又は５に記載のカバー装置。
【請求項７】
前記カバー部材は、前記被カバー部材に対して回動自在に取り付けられていることを特徴とする請求項４〜６の何れか一項に記載のカバー装置。
【請求項８】
請求項４〜７の何れか一項に記載のカバー装置を備えたことを特徴とする電子機器。
【発明の詳細な説明】
【技術分野】
【０００１】
本発明は、被カバー部材に対して開閉自在なカバー部材の開閉を検出するカバー開閉検出装置及びそのカバー開閉検出装置を備えたカバー装置並びにそのカバー装置を備えた電子機器に関する。
【背景技術】
【０００２】
プリンタには、対で構成されるカバーを備えたものがある。このようなプリンタのカバー開閉検出装置は、一方のカバーに発信部が取り付けられ、他方のカバーに受信部が取り付けられ、信号の有無によりカバーの開閉を検出するようになっている（特許文献１参照）。
【０００３】
【特許文献１】特開平４−２０４６０号公報
【発明の開示】
【発明が解決しようとする課題】
【０００４】
上述したカバー開閉検出装置では、開閉を検出するために発信部と受信部をペアで必要とするためコスト高になり、また発信部と受信部を信号の授受が確実にできるように対向配置しなければならない等の構造上の制約が大きくなる。
【０００５】
本発明は、上記のような課題に鑑みなされたものであり、その目的は、安価で簡易な構造でカバー部材の開閉を検出することができるカバー開閉検出装置及びそのカバー開閉検出装置を備えたカバー装置並びにそのカバー装置を備えた電子機器を提供することにある。
【課題を解決するための手段】
【０００６】
上記目的達成のため、本発明のカバー開閉検出装置では、被カバー部材に対して開閉自在なカバー部材の開閉を検出するカバー開閉検出装置であって、前記被カバー部材の天面に機械的スイッチを設け、前記カバー部材の底面にスイッチ押圧用リブを設け、前記スイッチ押圧用リブによる前記機械的スイッチの押圧・押圧解除により、前記カバー部材の開閉を検出することを特徴としている。これにより、カバーの開閉を単独の機械的スイッチにより検出することができるので、安価で簡易な構造とすることができる。
【０００７】
また、前記機械的スイッチは、前記被カバー部材の天面より下方に配置され、当該スイッチ部分が、前記スイッチ押圧用リブが通過可能な穴が設けられたスイッチカバーで覆われていることを特徴としている。これにより、機械的スイッチを誤操作させるおそれを無くすことができる。また、前記機械的スイッチは、リミットスイッチであることを特徴としている。これにより、簡易な構成とすることができる。
【０００８】
上記目的達成のため、本発明のカバー装置では、上記各カバー開閉検出装置を備えたことを特徴としている。これにより、上記各作用効果を奏するカバー装置を提供することが可能である。また、前記機械的スイッチは、装置電源と接続されており、前記スイッチ押圧用リブによる押圧・押圧解除により前記装置電源がオン・オフされることを特徴としている。これにより、カバー部材を開いたときは装置を即座に停止させ、電気系統に対する接触による短絡等を防止することができる。
【０００９】
また、前記カバー部材は、閉じられたときに前記被カバー部材の天面に設けられている内部点検用の開口部を覆うことを特徴としている。これにより、カバー部材を開くことにより内部点検用窓部を開放させることができるので、装置内部の点検作業に即座に取り掛かることができる。また、前記カバー部材は、前記被カバー部材に対して回動自在に取り付けられていることを特徴としている。上記目的達成のため、本発明の電子機器は、上記カバー装置を備えたことを特徴としている。これにより、上記各作用効果を奏する電子機器を提供することが可能である。
【発明を実施するための最良の形態】
【００１０】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１１】
図１は、本発明の一実施の形態に係るカバー開閉検出装置を備えた電子機器である記録装置の外観構成の全体を示す斜視図である。この記録装置はプリンタ、コピー及びスキャナの機能を有するインクジェット式複合機１００である。このインクジェット式複合機１００は、全体が略直方体状の本発明の特徴的な部分を含むハウジング（被カバー部材）１０１で覆われている。そして、ハウジング１０１の上面における前面側には操作部１１０が配設され、前面における図示左側にはメモリカードスロット部１２０が配設され、前面における図示右側にはディスクスロット部１３０が配設されている。更に、ハウジング１０１の上面における背面側には給紙部１４０が配設され、前面側には排紙部１５０が配設され、上面には本発明の特徴的な部分を含むスキャナ（カバー部材）１６０が配設されている。ハウジング１０１とスキャナ１６０がカバー装置を構成しており、このカバー装置に本実施形態のカバー開閉検出装置１０（図２等参照）が適用されている。尚、このカバー開閉検出装置１０の詳細は後述する。
【００１２】
操作部１１０は、略矩形状の操作パネル１１１を備え、この操作パネル１１１の略中央部に操作状態等を表示するユニット化された液晶ディスプレイ１１２が装着されている。そして、液晶ディスプレイ１１２の両側には、パワーをオン・オフするパワー系、用紙の頭出し等を操作したりインクのフラッシング等を操作する操作系、画像処理等を行う処理系等の複数のボタン１１３が配設されている。ユーザは、液晶ディスプレイ１１２を見て確認しながら各種のボタン１１３を操作することができるので、誤操作を防止することができる。
【００１３】
メモリカードスロット部１２０は、図示矢印ａ方向に開閉自在なカバー１２１で覆われている。このメモリカードスロット部１２０は、複数スロット形成され、複数種類のメモリカードに対応可能に構成されている。ユーザは、インクジェット式複合機１００をパーソナルコンピュータに接続しなくても、インクジェット式複合機１００単独の状態でメモリカードスロット部１２０にメモリカードを差し込むのみで、メモリカードに格納されている画像等を記録することができる。
【００１４】
ディスクスロット部１３０は、ＣＤ−Ｒ（Ｃｏｍｐａｃｔ  Ｄｉｓｋ−Ｒｅｃｏｒｄａｂｌｅ）等の読み書き可能なディスクやＤＶＤ−ＲＯＭ（Ｄｉｇｉｔａｌ  Ｖｅｒｓａｔｉｌｅ  Ｄｉｓｋ−Ｒｅａｄ  Ｏｎｌｙ  Ｍｅｍｏｒｙ）等の読み出し可能なディスクに対応可能に構成されている。ユーザは、インクジェット式複合機１００をパーソナルコンピュータに接続しなくても、インクジェット式複合機１００単独の状態でディスクスロット部１３０にディスクを差し込むのみで、ディスクに書き込まれている画像等を記録し、若しくはメモリカードに書き込まれている画像等をディスクに転送して書き込むことができる。
【００１５】
給紙部１４０は、上方に向かって矩形状に開口した給紙口１４１に伸縮自在に設けられ、給紙する用紙を１枚もしくは複数枚サポートする機能を有する多段のペーパーサポート１４２を備えている。ユーザは、インクジェット式複合機１００を使用するときは、ペーパーサポート１４２の先端に指を掛けてペーパーサポート１４２を伸張することができるので、用紙のセッティングを容易に行うことができる。また、インクジェット式複合機１００を不使用のときは、ペーパーサポート１４２の先端を指で押して収縮させることができるので、ペーパーサポート１４２をコンパクトに収納することができる。
【００１６】
排紙部１５０は、前方に向かって矩形状に開口した排紙口１５１を開閉する機能と、排紙される用紙を１枚もしくは複数枚スタックする機能を併せ持ったスタッカ１５２を備えている。このスタッカ１５２は、下端の回転軸を中心に図示矢印ｂ方向に回動可能に取り付けられている。ユーザは、インクジェット式複合機１００を使用又は不使用のときは、スタッカ１５２の上部に指を掛けてスタッカ１５２を開閉することができるので、セッティングを容易に行うことができ、また排紙口１５１内への埃の侵入を防止することができる。更に、記録後の用紙は常に前面側から排紙されるので、ユーザは用紙を容易に取り出すことができる。
【００１７】
スキャナ１６０は、扁平直方体状のスキャナ本体１６１と、平板状のスキャナカバー１６２を備えている。スキャナ本体１６１は、内部に棒状のＣＣＤ（Ｃｈａｒｇｅ  Ｃｏｕｐｌｅｄ  Ｄｅｖｉｃｅ）が前面側から背面側に延びるように配置され、図示しないスキャナモータとベルト機構により幅方向に往復移動可能に配設されている。そして、後端の回転軸を中心に図示矢印ｃ方向に回動可能に取り付けられている。スキャナカバー１６２は、スキャナ本体１６１の上面に取り付けられている図示しないスキャナ用ガラスを覆うように配置され、後端の回転軸を中心に図示矢印ｃ方向に回動可能に取り付けられている。ユーザは、スキャナ１６０を使用するときは、スキャナカバー１６２を開いて原稿をスキャナ用ガラス上に載置し、スキャナカバー１６２を閉じてスイッチをオンさせれば良いので、容易にスキャニング作業を行うことができる。また、ハウジング１０１の内部の機構部等のメンテナンス作業を行うときは、スキャナ本体１６１を開いて図２に示すハウジング１０１の天面１０１ａに設けられている内部点検用の開口部１０１ａａを開放させれば良いので、メンテナンス作業効率を向上させることができる。次に、本発明の特徴的な部分であるカバー開閉検出装置１０について、更に図を参照して説明する。
【００１８】
図２〜図４は、上記カバー開閉検出装置１０を示す斜視図であり、図２は、スキャナ１６０を開いた状態を上方から見た斜視図、図３は、その主要部の透視斜視図、図４は、スキャナ１６０を開いた状態を下方から見た斜視図である。このカバー開閉検出装置１０は、図２及び図３に示すハウジング１０１側に設けられたリミットスイッチ（機械的スイッチ）１１と、図４に示すスキャナ１６０側に設けられたスイッチ押圧用リブ１２を備えている。このように本実施形態のカバー開閉検出装置１０は単独の機械的なリミットスイッチ１１で構成されており、従来のカバー開閉検出装置のようにペアの発信部と受信部を必要としないためコストを抑えることができ、また発信部と受信部を信号の授受が可能なように対向配置しなければならない等の構造上の制約も無く、簡易な構造とすることができる。
【００１９】
リミットスイッチ１１は、図２に示すように、ハウジング１０１の天面１０１ａの前面側の略中央にスイッチカバー１０１ｂで覆われて配置されている。即ち、図２及び図３に示すように、リミットスイッチ１１は、スイッチレバー１１ａがスイッチカバー１０１ｂの中央に設けられた矩形状の窓１０１ｂａの下部に位置するように、スイッチカバー１０１ｂの下部に設けられたスイッチ収納部１０１ｃ内に収納配置されている。このような構成によれば、リミットスイッチ１１を誤操作させるおそれを無くすことができる。このリミットスイッチ１１は、一般的なリミットスイッチであり、スイッチレバー１１ａを押し下げることにより、スイッチ本体１１ｂに内蔵された図示しない接点と接触して信号がオンとなり、またスイッチレバー１１ａをスイッチ本体１１ｂに内蔵されたバネにより押し上げることにより、上記接点と離間して信号がオフになる。尚、スイッチレバー１１ａの押し下げ・押し上げによる信号のオン・オフは、逆構成であっても良い。
【００２０】
スイッチ押圧用リブ１２は、図４に示すように、直方体状に形成されており、スキャナ１６０の底面１６０ａから下方に向かって突設されている。即ち、スイッチ押圧用リブ１２は、スキャナ１６０の底面１６０ａの前面側の略中央であって、スキャナ１６０を閉じてハウジング１０１の天面１０１ａを覆ったときにスイッチカバー１０１ｂの窓１０１ｂａ内に挿入可能な位置に設けられている。そして、スイッチ押圧用リブ１２は、スイッチカバー１０１ｂの窓１０１ｂａ内に挿入されたときに、スイッチ収納部１０１ｃ内に収納配置されているリミットスイッチ１１のスイッチレバー１１ａを押し下げ可能な高さに形成されている。このような構成のカバー開閉検出装置１０の作用について図を参照して説明する。
【００２１】
図５は、スキャナ１６０を閉じた状態を示す断面図、図６は、スキャナ１６０を開いた状態を示す断面図である。スキャナ１６０を閉じた状態では、図５に示すように、カバー開閉検出装置１０のスイッチ押圧用リブ１２は、スイッチカバー１０１ｂの窓１０１ｂａ内に挿入されて、スイッチ収納部１０１ｃ内に収納配置されているリミットスイッチ１１のスイッチレバー１１ａを押圧して押し下げている。従って、スイッチレバー１１ａは、スイッチ本体１１ｂに内蔵された接点と接触しており、リミットスイッチ１１は、オン信号を送出している。そして、このリミットスイッチ１１は、インクジェット式複合機１００の電源と接続されているため、インクジェット式複合機１００を作動させることができる。
【００２２】
一方、スキャナ１６０を開いた状態では、図６に示すように、カバー開閉検出装置１０のスイッチ押圧用リブ１２は、スイッチカバー１０１ｂの窓１０１ｂａから上方へ離間して、スイッチ収納部１０１ｃ内に収納配置されているリミットスイッチ１１のスイッチレバー１１ａの押圧を解除している。このため、リミットスイッチ１１のスイッチレバー１１ａは、スイッチ本体１１ｂに内蔵されたバネにより押し上げられている。従って、スイッチレバー１１ａは、スイッチ本体１１ｂに内蔵された接点から離間しており、リミットスイッチ１１は、オフとなって信号を送出しておらず、インクジェット式複合機１００の電源はオフとなっている。よって、スキャナ１６０を開いたときはインクジェット式複合機１００を即座に停止させることができ、高圧の電気系統に対する接触による短絡等を防止することができる。
【００２３】
尚、スキャナ１６０を閉じたときはハウジング１０１の天面１０１ａに設けられている内部点検用の開口部１０１ａａを覆っており、スキャナ１６０を回動させて開いたときは内部点検用の開口部１０１ａａを開放させることができるので、インクジェット式複合機１００内部の点検作業に即座に取り掛かることができる。上述した実施形態では、ハウジング１０１にリミットスイッチ１１を設け、スキャナ１６０にスイッチ押圧用リブ１２を設けたカバー開閉検出装置１０を説明したが、逆の構成でも同様の効果を奏する。また、カバー開閉検出装置１０をハウジング１０１に対するスキャナ１６０のカバー装置に適用したが、他のカバー装置にも適用可能である。
【産業上の利用可能性】
【００２４】
カバー装置を備えた電子機器であれば、例えばファクシミリ装置、コピー装置、スキャナ等の記録装置を含む一般的な電子機器であっても適用可能である。
【図面の簡単な説明】
【００２５】
【図１】本発明の一実施の形態に係るカバー開閉検出装置を備えた電子機器である記録装置の外観構成の全体を示す斜視図である。
【図２】図１のスキャナを開いた状態を上方から見た斜視図である。
【図３】図２の主要部の透視斜視図である。
【図４】図１のスキャナを開いた状態を下方から見た斜視図である。
【図５】図１のスキャナを閉じた状態を示す断面図である。
【図６】図１のスキャナを開いた状態を示す断面図である。
【符号の説明】
【００２６】
１０  カバー開閉検出装置、１１  リミットスイッチ、１１ａ  スイッチレバー、１１ｂ  スイッチ本体、１２  スイッチ押圧用リブ、１００  インクジェット式複合機、１０１  ハウジング、１０１ａ  天面、１０１ｂ  スイッチカバー、１０１ｂａ  窓、１０１ｃ  スイッチ収納部、１１０  操作部、１２０  メモリカードスロット部、１３０  ディスクスロット部、１４０  給紙部、１５０  排紙部、１６０  スキャナ、１６０ａ  底面
【図１】
2008073869.tif 000003
【図２】
2008073869.tif 000004
【図３】
2008073869.tif 000005
【図４】
2008073869.tif 000006
【図５】
2008073869.tif 000007
【図６】
2008073869.tif 000008